(57)【要約】【課題】護岸スロープより滑落した滑落者を救助する。敷設、除去などを容易に行える。設置水面を釣り禁止とする。藻の一掃ができる。【解決手段】  ため池等滑落者救助装置１０は、矩形の浮き枠１１で矩形の網１２を水面に浮かせて保持している。浮き枠１１はポリエチレンフォーム、網はポリエステル製である。この網はポリエステル線を三つねじにねじり合わせて六角形の網目を形成した亀甲網１２で、ねじりが枠１１短辺と平行となるように取り付けられている。網は陸地と水面との境にまで延長され、ロープが網を護岸に枠を繋ぎ止める。【選択図】図１
2020050076.tif 000002
【特許請求の範囲】
【請求項１】
水面に浮設されて当該水面を保護するため池等滑落者救助装置であって、
長辺材と短辺材とを有した矩形の発泡性プラスチック製の浮き枠と、
この浮き枠に縁取りされた網材とを備えたため池等滑落者救助装置。
【請求項２】
上記網材は亀甲網で構成されるとともに、亀甲網のねじりが上記浮き枠の短辺材と平行となるように配設されている請求項１に記載のため池等滑落者救助装置。
【請求項３】
上記浮き枠にはこれを陸地またはその定着物に固定する索状部材が取り付けられた請求項１または請求項２に記載のため池等滑落者救助装置。
【発明の詳細な説明】
【技術分野】
【０００１】
この発明はため池等滑落者救助装置、例えばため池等の閉鎖水域に護岸のコンクリート製傾斜面から滑落した者を救助するためのため池等滑落者救助装置に関する。
【背景技術】
【０００２】
ため池、湖などの閉鎖水面については釣り人や子供たちが護岸から転落・滑落する事故、特に死亡事故が発生することが知られている。これは、ため池の水際、護岸についてはコンクリートブロックなどコンクリート製の傾斜面（スロープ）を形成してあるからである。水中に落下した転落者・滑落者にとっては、取っ手などが形成されていない一般的なコンクリート製の傾斜面は、苔などで滑りやすく滑落者が這い上がることを不可能とするからである。
よって、コンクリート製傾斜面を有する、または、水中から這い上がることが困難な護岸を有する水面、水域にあっては、転落者・滑落者を保護するための方策が要望されていた。
一方、ため池などの特定水面について釣り禁止を実効あるものとするため、水面にネットを張設したものが、特許文献１に開示されている。このものは、ネットをフロートで浮かせ、アンカーで固定することで、ネットを岸近くの水面に張設してある。
【先行技術文献】
【特許文献】
【０００３】
【特許文献１】実開平２−１０６０３１号公報
【発明の開示】
【発明が解決しようとする課題】
【０００４】
しかしながら、特許文献１に記載の釣り禁止ネットについては、水中への滑落者が護岸に復帰させるためのものではなく、滑落者の救助に資するものではなかった。また、水面にネットを浮設するため、ブイ形状のフロートやアンカーを複数個使用しており、当該水面へのネットの設置、除去、運搬などの取り扱いではきわめて不便であるという問題を有していた。また、この釣り禁止ネットについてはフロートがブイ形状であるため、水面から突出しており、自然景観に違和感を与えるものであった。
【０００５】
そこで、発明者は鋭意研究の結果、浮設したネットを護岸に繋止することで滑落者を救助できることを知見し、この発明を完成させた。
【０００６】
すなわち、この発明は、所定水面への設置・除去が容易で滑落者救助を確実に行うことができ、さらに釣り禁止、景観保護などの多機能を有するため池等滑落者救助装置を提供することを目的としている。
【課題を解決するための手段】
【０００７】
請求項１に記載の発明は、ため池等の護岸近傍の水面に浮設されて当該護岸から滑落した滑落者を救助するため池等滑落者救助装置であって、平行な一対の長辺枠のそれぞれの両端に平行な一対の短辺枠のそれぞれの両端が連結されて矩形の構成とした発泡性プラスチック製の浮き枠と、この浮き枠によって張設された網材と、上記浮き枠を護岸に繋止する繋止索とを備えたため池等滑落者救助装置である。
【０００８】
ため池等滑落者救助装置は、ため池の護岸からその水面に滑落した滑落者に対して網材を張設した浮き枠が浮きとして機能し、網材をつかんで身体が水中深く沈むことを防ぎ、さらに繋止索を用いて護岸（スロープ）を這い上がることができる。
また、この装置にあっては、浮き枠に張設された網材が、護岸から近接した水面を、例えば釣り禁止領域・遊泳禁止区域として保護する。
また、この浮設された網材は、ゴミなどの不法投棄の防止を図り、水面の美観を保護する。
さらに、経時使用により、網材について網目に藻などが捕獲・堆積されてくることになり、浮き枠および網材を引き上げることで水面清掃が可能となり、この点でため池の水面全体を保護する。網目としては亀甲網、菱形網その他がある。
さらにまた、平面的な浮き枠で網材（例えば金網、ＳＴＫネット）を浮かすため、景観に及ぼす影響を平面的な浮き枠のみにとどめることができ、ため池の景観を保護することもできる。
【０００９】
ここで、ため池等は、ため池、湖などの閉鎖水域を意味するが、例えば人工的なダム湖、用水池、プール、さらには、港湾、河川の一部で略閉鎖された水域などにも適用される趣旨である。
このため池等滑落者救助装置は、矩形の浮き枠の内側に網材（矩形のネット）を張設した構成である。すなわち、大略矩形の網材の４辺は、同じく矩形の浮き枠により縁取りされていることとなる。
浮き枠を一対の長辺材と一対の短辺材とで構成される矩形とした理由は、水面特にため池などの閉鎖水面の岸に対して長辺材が略平行になるように浮設することで、岸辺からの釣り禁止などの効果を発揮させるためである。すなわち、浮き枠は、平行な一対の長辺枠のそれぞれの両端に平行な一対の短辺枠のそれぞれの両端が連結されて矩形の構成とされている。なお、この矩形の浮き枠については、浮力補強の意味で、かつ、浮き枠の保形の意味で、複数の桟のように、長辺材、短辺材と同じ素材からなる中間材で、一対の長辺材の長手方向中間部分同士を連結することもできる。
浮き枠は、例えば発泡性プラスチックを素材としており、網材とともに水面に浮いた状態を保持することとなる。例えばポリエチレンフォーム（Ｐ・Ｅライト；（株）イノアックコーポレーション）などである。
【００１０】
浮き枠によって張設された網材は、浮き枠とともに、水面に浮く構成となっている。すなわち、網材としてはＳＴＫネット、ＰＫネットなどが好適である。高耐久ＳＴＫネット（登録商標）の素材はポリエステルモノフィラメントで、ポリエステル系合成繊維に属し、その特徴として、機械特性、寸法安定性、酸等に対する耐薬品性に優れている。このポリエステルは、抜群の耐候性があり、特に紫外線には他のプラスチック材が及ばないほどの耐久性を持ち、コーティング材としてはフッ素樹脂に次ぐ耐久性を有している。
その素材特性から亀甲型の網形状では、耐候性に優れ、軽く、錆びず、弾性があり、連続破網を起こさない。
高耐久ＳＴＫネットは、ポリエステル１００％のため、重量は一般金網の約１／５と軽量で施工性が高い。
また、金網は一部破れると連続破網が起きるが、高耐久ＳＴＫネットは亀甲型構造により一部破れても連続破網せず、破網が発生した場合には破網箇所に同じ素材の高耐久ＳＴＫネットを当て網として取付けることで簡単に補修が可能である。 引張強度は、金網と同等、かつ復元性は金網を上回った実験結果も出ている。リサイクル材として再利用も可能です。
高耐久ＳＴＫネットは、紫外線に強く、野外暴露状態で３０年経過したフェンスの引張強度がほとんど低下せず、外観の劣化も見られない実積がある。耐候性試験１０００ｈにおいてもその強度低下が見られないことが確認されている。
高耐久ＳＴＫネットの重量は一般的金網(3.2φ×50×50)の約１/５(５４０ｇ/ｍ2)で機械作業が困難な場所での作業の効率化と安全性が確保できる。また、重機での作業による環境汚染の軽減に役立てる。ポリエステルの比重は、1.38(鉄は7.86)である。
【００１１】
繋止索は、上記浮き枠を護岸に繋止する。例えば、陸地、護岸またはその定着物に、浮き枠を繋ぎ止める。直接に繋ぎ止める場合、網を介して繋ぎ止めることもできる。
繋止索としては、ロープ、ワイヤ、チェーンその他の索材が好ましい。なお、繋止索として一部に棒材などを含む場合もある。その使用方法は、例えば繋止索の一端部を浮き枠に他端部をアンカーで陸地、護岸にそれぞれ固着することとなる。
【００１２】
請求項２に記載の発明は、上記網材は亀甲網で構成されるとともに、亀甲網のねじりが上記浮き枠の短辺材と平行となるように配設されている請求項１に記載のため池等滑落者救助装置である。
このように、網材は、一般的な金網と異なり、亀甲状に２回捻りに編んだ網であることから連続破網が起こらず、また、破れても簡単な補修が可能です。ＳＴＫネットを網材として使用すると、透過性に優れ、維持管理において現地状況の把握が容易に行えることから維持管理作業の効率化が可能となる。また、高耐久ＳＴＫネットは、その素材の特性から鉄線より繰り返しの曲げに強く、耐屈曲性に優れている。また、高耐久ＳＴＫネットは野外暴露実績と素材特性から６０年以上の耐久性がある。さらに、高耐久ＳＴＫネットは環境化学製品であり、使用後はプラスチック材として再利用が可能である。
例えば線径２．５ｍｍ、ピッチ８０ｍｍ、有効幅１．８０ｍ、重量０．５４ｋｇ／ｍ2、引張強度２９０Ｎｍｍ2とする。
亀甲網は、線を三つねじにねじり合わせて六角形の網を形成したものである。その材質には、ＳＴＫネットの他にも、ビニール被覆線、亜鉛メッキ鉄線、ステンレス鋼線などがある。
【００１３】
請求項３に記載の発明は、上記網材の一部は、上記浮き枠からはみ出て護岸側に延長された請求項１または請求項２に記載のため池等滑落者救助装置である。
【００１４】
網材は浮き枠より広く、その一部は浮き枠を越えてはみ出て、護岸側に延長されている。したがって、網材は、護岸のスロープの一部を覆うようにセットすることもできる。延長部により滑落者の救助に資する。
【発明の効果】
【００１５】
請求項１〜３に記載の各発明によれば、護岸に沿って水面に浮き枠に支持された網材を配置・浮設することができる。矩形の浮き枠は繋止索により例えば護岸に繋止されている。このため、護岸スロープからの滑落者は、この網材を掴むことで水中へ没することを防ぐことができる。そして、繋止索をつたわって護岸スロープをよじ登ることができる。滑落者の水死事故を防ぐことができる。
また、このため池等滑落者救助装置によれば、浮き枠および網材により、護岸に近接した水面について釣り禁止、遊泳禁止、立ち入り禁止とすることができる。また、この装置を浮設する際においても、ネットが長方形状を呈するため、これを短尺材を中心にして巻き取り、運搬、設置、除去作業を効率よく行うことができる。さらに、ごみなどの浮遊物の捕獲、水生植物、水生動物の保護に資することができる。藻が繁殖した場合、これを一掃することも容易となる。
【００１６】
請求項２に記載の発明によれば、網材を亀甲網とし、その方向性により、浮き枠および網材の浮設後の形状を維持する（型崩れの防止）ことが容易となる。これは、ねじりが短辺材と平行として配置しているため、網材、浮き枠について短辺材方向に作用した外力に対しては、長辺材方向のそれよりも耐久力が高くなるからである。もちろん短辺材を中心としてこの浮き枠及び網材をロール状に巻き込み・巻き取ることもできる。運搬、格納などが容易となる。
【図面の簡単な説明】
【００１７】
【図１】この発明の一実施例に係るため池等滑落者救助装置の概略全体構成を示す平面図である。
【図２】この発明の一実施例に係るため池等滑落者救助装置の使用状況を示す模式図である。
【図３】この発明の一実施例に係るため池等滑落者救助装置の使用状況を示す部分図である。
【図４】この発明の一実施例に係る浮き枠と網材との関係を示す部分平面図である。
【発明を実施するための形態】
【００１８】
以下、この発明の実施例を、図面を参照して具体的に説明する。
【実施例】
【００１９】
図１〜図４において、１０はため池等滑落者救助装置を示す。このため池等滑落者救助装置１０は、ため池のコンクリート製護岸ＳＬに沿ってほぼ平行にため池水面ＷＳに浮設された浮き枠１１と、この浮き枠１１に取り付けられて支持された網材１２とを有し、この網材１２を３本のロープ（繋止索）１３によって護岸ＳＬにアンカー１４およびＵ型アンカーピン１５で固定する構成となっている。
【００２０】
浮き枠１１の素材は、発泡性プラスチック、具体的にはポリエチレンフォーム（商品名：Ｐ・Ｅライト）である。浮き枠１１は、帯板状に形成した一対の長辺材１６および帯板状の一対の短辺材１７とで形成されている。平行な一対の長辺材１６の長さ方向の両端のそれぞれに、平行な一対の短辺材１７の両端がそれぞれ固定されている。この結果、矩形の枠体（例えば２ｍ×１０ｍ）が形成され、さらに、矩形枠体を構成する一対の短辺材１７と平行に桟状の複数の中間材１８が一対の長辺材１６の間を掛け渡すように固定されている。複数の中間材１８は等間隔に配置されている。中間材１８も短辺材１７と同じくポリエチレンフォーム製の帯板材である。なお、これらの帯板材同士の結合は例えばそれらの重ね合わせ部分にタッカー針（建築用ステープラ）やインシュロック（結束バンドの商品名）を打ち込むことで行われている。また、ネット１２の縁部分については同じくタッカー針やインシュロックにより帯板材１６，１７に固定することもできる。インシュロックによれば、軽量材料を用いてウレタンフォーム同士の結合を強固にすることができる。
【００２１】
そして、長方形の浮き枠１１に対して、網材１２は短辺が短辺材１７より長く（例えば３ｍ）、その長辺は長辺材１６と同じ長さで形成された平面視して矩形のネットである。したがって、網材１２は、図１に示すように、その護岸側部分が浮き枠１１よりはみ出した状態で設置されている。換言すると、網材１２の一部１２Ａは浮き枠１１に固定されているが、他の部分１２Ｂは浮き枠１１からはみ出している。このはみ出し部１２Ｂに上記ロープ１３の一端が連結されている。
【００２２】
図４においては、網材１２と枠構成材である長辺材１６，短辺材１７との関係を示している。網材１２の一方の端縁部分は短辺材１７を囲むようにして結合されるとともに、その他方の端縁部分も長辺材１６と結合する。なお、浮き枠１１からはみ出した網材１２は網材１２で完結している。
このとき、網材１２は、上述のように平面視して４角形であって、高耐久ＳＴＫネット（登録商標）を使用し、その素材はポリエステルモノフィラメントで、ポリエステル系合成繊維に属する。
この網材１２は亀甲型の網形状であって（亀甲網）、耐候性に優れ、錆びず、弾性がある。この網材１２はポリエステル１００％であり、その重量は一般金網の約１／５と軽量である。また、この高耐久ＳＴＫネット１２は亀甲型構造によりその一部が破れた場合でも連続破網することがない。その引張強度は、金網と同等であり、復元性は金網を上回ることもある。
さらに、亀甲網１２は、線を三つねじにねじり合わせて六角形の網を形成したものであるが、そのねじりが上記浮き枠の短辺材１７と平行となるように配設されている。このように、網材１２は亀甲状に２回捻りに編んだ網であることから上記連続破網が起こらず、また、破れても簡単な補修が可能である。
この高耐久ＳＴＫネット１２は、その素材の特性から鉄線より繰り返しの曲げに強く、耐屈曲性に優れている。この高耐久ＳＴＫネット１２は野外暴露実績と素材特性から６０年以上の耐久性がある。
このＳＴＫネット１２は、例えば線径２．５ｍｍ、ピッチ８０ｍｍ、有効幅１．８０ｍ、重量０．５４ｋｇ／ｍ2、引張強度２９０Ｎｍｍ2とする。
なお、上記亀甲網１２の材質には、上記ＳＴＫネットの他にも、ビニール被覆線、亜鉛メッキ鉄線、ステンレス鋼線などを使用することがある。
この亀甲形のネット１２は合成樹脂モノフィラメント、特に下記特性を有するポリエステルモノフィラメントを素材とし、撚り合わせ部分に溶着、接着を伴うことなく織成してなる多角形の網目を有する合成樹脂製網状体である。極限粘度＝０．６以上、線径＝１．５〜５ｍｍ、強度伸度積＝７５０〜３０００ｋｇ／ｍｍ２・％、摩耗耐久性＝５０００回／ｍｍ２以上である。
【００２３】
図２において示すように、この装置では護岸から近接した水面にネット１２を設置したため池の水位が高い場合、滑落者は浮き枠１１および網材１２の一部を掴むことで水面において沈むことなくその身体を保持することができる。すなわち、スロープから滑落した者は、ネットにつかまって救助を待てることとなる。
一方、図３に示すように、ため池の水位が低い場合はネット１２はスロープ（斜面）に沿って配置されるため、滑落者はこのネット１２および繋止索（ロープ、チェーンなど）１３を掴んでスロープＳＬをよじ登ることができる。このとき、ネット１２はその網目が足場としても機能する。
【００２４】
以上のように、この実施例に係るため池等滑落者救助装置は、ため池水面に敷設（浮設）されてその水面の一部（護岸側部分）を覆うが、これはネットにより滑落者の救助を図るのみでなく、釣り禁止域、遊泳禁止域を示すものである。また、経時使用により藻、ゴミなどの浮遊物が絡みついた場合でも、網を引き上げることで、これらを一掃することができる。
これらの場合において、亀甲網のねじりが浮き枠の短辺と平行であるため、すなわち、亀甲網はねじり方向に折れ曲げにくいが、ねじりと直交方向には折れ曲げ可能とされるため、網の設置、除去、また運搬などにおいて極めて好便である。特にＳＴＫネットを使用した場合はその軽量性により持ち運びに便である。
さらに、この亀甲網の方向性によりねじり方向（矩形枠の短辺方向）には高強度を有しており、網自体の形状維持性能が高いものである。ねじりを長辺方向とした場合と比較すると顕著である（これでは長期設置で網の一部が持ち上げられるような変形がおこり易い）。よって、浮き枠１１について矩形を維持するためにもこのねじり方向への亀甲網は有効である。
浮き枠１１自身は、例えば発泡性ポリエチレンにより形成することでその全体の浮力を得ることができる。中間材はこの浮力増大と保形性にも資するものである。
【産業上の利用可能性】
【００２５】
この発明は、ため池等滑落者救助装置についての技術として有用である。
【符号の説明】
【００２６】
１０  滑落者救助装置、
１１  浮き枠、
１２  網材（ＳＴＫネット）、
１３  ロープ（繋止索）、
１６  長辺材、
１７  短辺材、
ＳＬ  護岸傾斜面（スロープ）
ＷＳ  水面。
【図１】
2020050076.tif 000003
【図２】
2020050076.tif 000004
【図３】
2020050076.tif 000005
【図４】
2020050076.tif 000006